(57)【要約】【課題】所望のサイズのシートを支持するのに適した長さに簡単に伸縮させることができ、かつ装置本体への挿入が容易なシートトレイを提供する。【解決手段】給送トレイ２０は、第１トレイ７１、第２トレイ７２、及び接続部材７３を具備する。第１トレイ７１及び第２トレイ７２の相対的な位置は、Ａ４サイズの記録用紙に適合する第１位置、Ａ３サイズの記録用紙に適合する第２位置、Ｂ４サイズの記録用紙に適合する第３位置に保持可能である。第１トレイ７１及び第２トレイ７２の相対位置が第３位置であり、且つ接続部材７３が前後方向８へ移動可能な範囲のうち前向きの移動端に位置するときに、接続部材７３の横板７３Ｂの後端は、第２トレイ７２の底板７７の後端より後ろ向きへ突出している。【選択図】図６
2015193450.tif 000002
【特許請求の範囲】
【請求項１】
シートを支持する第１支持面を有する第１底壁、当該第１支持面に沿った第１方向の両側において上記第１底壁に対してそれぞれ起立された第１側壁及び第２側壁を備えた第１トレイと、
上記第１支持面に連なってシートを支持する第２支持面を有する第２底壁、上記第１方向の両側において上記第２底壁に対してそれぞれ起立された第３側壁及び第４側壁を有しており、上記第２支持面を上記第１支持面の下方に位置させて、上記第１支持面及び上記第２支持面が重なる度合いが変化するように上記第１トレイに対して上記第１方向と直交する第２方向へ移動可能な第２トレイと、
上記第１方向の両側に設けられており、上記第１底壁及び上記第２底壁の間にそれぞれ介在される底壁部、並びに、上記第１側壁及び上記第３側壁、又は上記第２側壁及び上記第４側壁の間に介在される側壁部をそれぞれ有し、当該側壁部が、上記第１側壁及び上記第３側壁、又は上記第２側壁及び上記第４側壁に上記第２方向へ移動可能にそれぞれ係合された一対の接続部材と、を具備しており、
上記第１トレイ及び上記第２トレイの相対的な位置は、上記第１支持面及び上記第２支持面が上記第２方向に沿った第１長さを有するシートに適合する第１位置、上記第１支持面及び第２支持面が上記第１長さより長い上記第２方向に沿った第２長さを有するシートに適合する第２位置、当該第１位置及び当該第２位置の間であって、上記第１支持面及び第２支持面が上記第１長さより長く且つ上記第２長さより短い上記第２方向に沿った第３長さを有するシートに適合する第３位置に保持可能であり、
上記第１トレイ及び上記第２トレイの相対位置が上記第３位置であり、且つ上記一対の接続部材が上記第２方向へ移動可能な範囲のうち上記第２方向のうち上記第２トレイ側をの向きである前向きの移動端に位置するときに、上記底壁部の当該前向きと反対向きである後ろ向きの第３端は、上記第２底壁の当該後ろ向きの第２端より当該後ろ向きへ突出しているシートトレイ。
【請求項２】
上記第１トレイ及び上記第２トレイの相対位置が上記第１位置であるときに、上記第２底壁における上記第２端は、上記第１底壁における上記後ろ向きの第１端と同じ位置又は上記後ろ向きへ突出している請求項１に記載のシートトレイ。
【請求項３】
上記側壁部と上記第３壁及び上記第４壁とは、一方に形成された上記第２方向に沿った長穴と、当該長穴に挿入される係合爪と、によって係合されている請求項１又は２に記載のシートトレイ。
【請求項４】
上記底壁部の第３端に、上記第１底壁側の端が上記第２底壁側の端より上記後ろ向きに位置して上記第２底壁へ向かって傾斜する傾斜面が形成されている請求項１から３のいずれかに記載のシートトレイ。
【請求項５】
請求項１から４のいずれかに記載のシートトレイと、開口を通じて当該シートトレイが上記第２方向に沿って挿抜可能な本体と、を具備しており、
上記本体は、上記シートトレイに支持されたシートを給送する給送部を有するシート搬送装置。
【発明の詳細な説明】
【技術分野】
【０００１】
本発明は、異なるサイズのシートを支持可能なシートトレイ及び当該シートトレイを備えるシート搬送装置に関する。
【背景技術】
【０００２】
プリンタなどの画像記録装置は、画像が記録されたシートを搬送するシート搬送装置を備えている。シート搬送装置は、シートを搬送する搬送部と、搬送部によって搬送されたシートを支持する排出トレイとを備えている。画像記録装置に搭載されるシート搬送装置は、大きなサイズのシートを搬送可能であると共に、小型であることが望まれている。
【０００３】
そこで、例えば特許文献１には、複数枚のトレイによって構成される排出トレイが記載されている。特許文献１に記載の排出トレイは、小サイズのシートを支持する場合に複数枚のトレイが重なった状態で使用され、大サイズのシートを支持する場合に複数枚のトレイが順次引き出されて延長された状態で使用される。また、複数枚のトレイのうちの一部のみを引き出すことによって、中サイズのシートを支持することができる排出トレイも存在する。
【先行技術文献】
【特許文献】
【０００４】
【特許文献１】特開２０１１−２３５９８６号公報
【発明の概要】
【発明が解決しようとする課題】
【０００５】
例えば、２枚のトレイを相対的に移動可能に重ねて配置されたシートトレイにおいては、２枚のトレイによる支持面を最大としたときに、２枚のトレイの重複面積をある程度確保しないと、トレイの連結部分の剛性が低くなる。しかしながら、トレイの重複面積を広くすると、各トレイの大きさに対して最大となる支持面がさほど広くならず、軽量化やコストダウンを図り難いという問題がある。これに対して、２枚のトレイをアングルなどの接続部材で連結して、アングルにより連結部分の剛性を高める構成を本出願人は提案している。
【０００６】
しかしながら、接続部材を介在させた分だけ２枚のトレイ間に隙間が生じ、その隙間が、シートトレイを装置本体に挿入するときに、開口周縁の部材に引っ掛かるという不具合が生じやすい。
【０００７】
本発明は、上記の事情に鑑みてなされたものであり、その目的は、所望のサイズのシートを支持するのに適した長さに簡単に伸縮させることができ、かつ装置本体への挿入が容易なシートトレイを提供することにある。
【課題を解決するための手段】
【０００８】
(1)  本発明に係るシートトレイは、シートを支持する第１支持面を有する第１底壁、当該第１支持面に沿った第１方向の両側において上記第１底壁に対してそれぞれ起立された第１側壁及び第２側壁を備えた第１トレイと、上記第１支持面に連なってシートを支持する第２支持面を有する第２底壁、上記第１方向の両側において上記第２底壁に対してそれぞれ起立された第３側壁及び第４側壁を有しており、上記第２支持面を上記第１支持面の下方に位置させて、上記第１支持面及び上記第２支持面が重なる度合いが変化するように上記第１トレイに対して上記第１方向と直交する第２方向へ移動可能な第２トレイと、上記第１方向の両側に設けられており、上記第１底壁及び上記第２底壁の間にそれぞれ介在される底壁部、並びに、上記第１側壁及び上記第３側壁、又は上記第２側壁及び上記第４側壁の間に介在される側壁部をそれぞれ有し、当該側壁部が、上記第１側壁及び上記第３側壁、又は上記第２側壁及び上記第４側壁に上記第２方向へ移動可能にそれぞれ係合された一対の接続部材と、を具備する。上記第１トレイ及び上記第２トレイの相対的な位置は、上記第１支持面及び上記第２支持面が上記第２方向に沿った第１長さを有するシートに適合する第１位置、上記第１支持面及び第２支持面が上記第１長さより長い上記第２方向に沿った第２長さを有するシートに適合する第２位置、当該第１位置及び当該第２位置の間であって、上記第１支持面及び第２支持面が上記第１長さより長く且つ上記第２長さより短い上記第２方向に沿った第３長さを有するシートに適合する第３位置に保持可能である。上記第１トレイ及び上記第２トレイの相対位置が上記第３位置であり、且つ上記一対の接続部材が上記第２方向へ移動可能な範囲のうち上記第２方向のうち上記第２トレイ側をの向きである前向きの移動端に位置するときに、上記底壁部の当該前向きと反対向きである後ろ向きの第３端は、上記第２底壁の当該後ろ向きの第２端より当該後ろ向きへ突出している。
【０００９】
第１トレイ及び第２トレイの相対位置は、第１位置、第２位置、又は第３位置とすることにより、第２方向に沿った長さが異なるシートにシートトレイの大きさを適合させることができる。第１トレイ及び第２トレイの相対位置が第３位置であり、且つ一対の接続部材が第２方向へ移動可能な範囲のうち前向きの移動端に位置するときに、底壁部の第３端は、第２底壁の第２端より後ろ向きへ突出しているので、第１底壁の第１端と第２底壁の第２端との間に接続部材の厚み分の隙間が生じない。
【００１０】
(2)  好ましくは、上記第１トレイ及び上記第２トレイの相対位置が上記第１位置であるときに、上記第２底壁における上記第２端は、上記第１底壁における上記後ろ向きの第１端と同じ位置又は上記後ろ向きへ突出している。
【００１１】
これにより、第１トレイ及び第２トレイの相対位置が第１位置であるときには、最も底側の第２底壁の第２端が最も後ろ向きへ突出しているので、第１底壁の第１端と第２底壁の第２端との間に、筐体などの部材が進入し難い。
【００１２】
(3)  好ましくは、上記側壁部と上記第３壁及び上記第４壁とは、一方に形成された上記第２方向に沿った長穴と、当該長穴に挿入される係合爪と、によって係合されている。
【００１３】
これにより、第２トレイと接続部材とが強固に連結され、第２トレイと接続部材との位置関係に捻れが生じ難い。その結果、第２トレイと接続部材との間に隙間が生じ難い。
【００１４】
(4)  好ましくは、上記底壁部の第３端に、上記第１底壁側の端が上記第２底壁側の端より上記後ろ向きに位置して上記第２底壁へ向かって傾斜する傾斜面が形成されている。
【００１５】
傾斜面により、底壁部の第３端に当接した部材が第２底壁側へ案内される。
【００１６】
(5)  本発明は、上記シートトレイと、開口を通じて当該シートトレイが上記第２方向に沿って挿抜可能な本体と、を具備しており、上記本体は、上記シートトレイに支持されたシートを給送する給送部を有するシート搬送装置として把握することもできる。
【発明の効果】
【００１７】
本発明によれば、シートトレイを所望のサイズのシートを支持するのに適した長さに簡単に伸縮させることができる。また、装置本体への挿入が容易なシートトレイが実現される。
【図面の簡単な説明】
【００１８】
【図１】図１は、複合機１０の斜視図である。
【図２】図２は、プリンタ部１１の内部構造を示す断面図である。
【図３】図３は、給送トレイ２０の分解斜視図である。
【図４】図４は、第１トレイ７１及び第２トレイ７２の相対位置が第１位置の給送トレイ２０及び排出トレイ２１の斜視図である。
【図５】図５は、第１トレイ７１及び第２トレイ７２の相対位置が第１位置であって、回動トレイ１６０が突出位置である給送トレイ２０及び排出トレイ２１の斜視図である。
【図６】図６は、第１トレイ７１及び第２トレイ７２の相対位置が第３位置であって、回動トレイ１６０が突出位置である給送トレイ２０及び排出トレイ２１の斜視図である。
【図７】図７は、第１トレイ７１及び第２トレイ７２の相対位置が第２位置であって、回動トレイ１６０が突出位置である給送トレイ２０及び排出トレイ２１の斜視図である。
【図８】図８は、第２トレイ７２が第２位置に位置している時の給送トレイ２０の平面図である。
【図９】図９は、第１トレイ７１に対する第２トレイ７２の移動を規制するロック機構９０を説明するための図であって、（Ａ）は第１トレイ７１の裏面図、（Ｂ）は（Ａ）のＢ−Ｂ断面図である。
【図１０】図１０は、第１トレイ７１に対する第２トレイ７２の移動を許容するロック機構９０を説明するための図であって、（Ａ）は第１トレイ７１の裏面図、（Ｂ）は（Ａ）のＢ−Ｂ断面図である。
【図１１】図１１は、接続部材７３の斜視図である。（Ａ）は接続部材７３の上面側の斜視図、（Ｂ）は接続部材７３の下面側の斜視図である。
【発明を実施するための形態】
【００１９】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。なお、前後方向８は第１方向の一例であり、左右方向９は第２方向の一例である。
【００２０】
［複合機１０の全体構成］
図１に示されるように、複合機１０は、概ね直方体に形成されており、インクジェット記録方式で記録用紙などのシートに画像を記録するプリンタ部１１を備えている。複合機１０は、ファクシミリ機能及びプリント機能などの各種の機能を有している。プリンタ部１１が画像記録装置に相当する。
【００２１】
プリンタ部１１は、前面に開口１３が形成された筐体１４を有している。また、各種サイズの記録用紙を収容可能な給送トレイ２０及び排出トレイ２１が、開口１３から前後方向８に挿抜可能である。筐体１４の底面が、複合機１０が設置される載置面に当接する。図２に示されるように、プリンタ部１１は、給送トレイ２０から記録用紙を給送する給送部１５、記録用紙に画像を記録する記録部２４、第１搬送ローラ対５４、第２搬送ローラ対５５、及びバイパストレイ５０などを備えている。
【００２２】
図１に示されるように、プリンタ部１１の上部には、スキャナ部１２が設けられている。スキャナ部１２の筐体１６の前後方向８及び左右方向９の寸法は、プリンタ部１１の筐体１４と同じである。したがって、プリンタ部１１の筐体１４及びスキャナ部１２の筐体１６が一体となって、複合機１０の概ね直方体形状の外形を形成している。スキャナ部１２は、フラットベッドスキャナである。なお、フラットベッドスキャナの構造は公知であるので、ここでは詳細な説明が省略される。また、スキャナ部１２には、複数枚の原稿を１枚ずつ分離して搬送する自動原稿搬送装置（ＡＤＦ）が設けられていてもよい。
【００２３】
［プリンタ部１１］
以下、プリンタ部１１の詳細な構造が説明される。プリンタ部１１において記録用紙などのシートを搬送する機構がシート搬送装置に相当する。
【００２４】
［給送トレイ２０］
給送トレイ２０は、前後方向８及び左右方向９の長さが上下方向７の長さよりも長い外形であって、上面が開放された箱型の形状を有している。給送トレイ２０の上面前側には、排出トレイ２１が設けられている。給送トレイ２０は、例えば日本工業規格によるＡ４サイズから写真記録に用いられるＬ版などの大小様々なサイズの記録用紙を支持面で支持することにより記録用紙を収容可能である。給送トレイ２０は、筐体１４の開口１３に通ずる内部空間に着脱自在に装着される。この給送トレイ２０は、開口１３を通じて筐体１４に対して前後方向８に沿って進退可能である。バイパストレイ５０は、複合機１０の後面側に設けられており、給送トレイ２０とは独立して記録用紙を収容する。バイパストレイ５０の詳細は省略される。
【００２５】
給送トレイ２０は、図４〜図７に示されるように、前後方向８において伸長及び収縮が可能に構成されている。最も収縮された状態の給送トレイ２０は、図１に示されるように、筐体１４の内部に収容される。一方、伸長された状態の給送トレイ２０は、その一部（より詳細には、後述される第２トレイ７２の一部）が筐体１４から露出される。給送トレイ２０に支持された記録用紙が給送部１５によって給送される向きを、特に給送向き１７と定義する。図２における給送向き１７は、前後方向８に沿って前方から後方へ向かう向きである。給送トレイ２０の詳細な構成は、後述される。
【００２６】
排出トレイ２１は、図１に示されるように、給送トレイ２０の上側に設けられている。排出トレイ２１は、給送トレイ２０と一体となって、筐体１４に対して進退可能である。排出トレイ２１は、第２搬送ローラ対５５によって排出された記録用紙を支持可能である。排出トレイ２１は、左右方向９に延びる回動軸線を中心に回動可能に給送トレイ２０に支持されている。より詳細には、排出トレイ２１は、給送トレイ２０の上方の一部を覆う倒伏位置（図４参照）と、倒伏位置より起立した起立位置との間を回動する。また、排出トレイ２１は、図４〜図７に示されるように、前後方向８において伸長及び収縮が可能に構成されている。第２搬送ローラ対５５によって排出トレイ２１に記録用紙が排出される向きを、特に排出向き１８と定義する。すなわち、図２における排出向き１８は、前後方向８に沿って後方から前方へ向かう向きである。排出トレイ２１の詳細な構成は、後述される。
【００２７】
［給送部１５］
図２に示されるように、給送部１５は、給送ローラ２５、給送アーム２６、駆動伝達機構２７、及び分離パッド２３を備えている。給送部１５は、給送トレイ２０の上方であって記録部２４の下方に設けられている。給送ローラ２５は、給送アーム２６の回動先端（給送向き１７の下流側の端部）に回転可能に軸支されている。給送アーム２６は、回動基端（給送向き１７の上流側の端部）に設けられた軸２８を中心として、給送トレイ２０に支持された記録用紙に給送ローラ２５を接離させる方向（矢印２９の方向）に回動する。これにより、給送ローラ２５は、給送トレイ２０の支持面に対して当接及び離間が可能である。
【００２８】
記録用紙を収容した給送トレイ２０が筐体１４内に装着されたとき、給送ローラ２５は、給送トレイ２０に収容された記録用紙に当接可能である。記録用紙を収容していない給送トレイ２０が筐体１４内に装着されたとき、給送トレイ２０の支持面に給送ローラ２５が当接する位置には分離パッド２３が設けられている。分離パッド２３は、記録用紙に対して、給送トレイ２０の支持面の摩擦係数より大きな摩擦係数を有する材料で形成されている。
【００２９】
給送ローラ２５には、モータ（不図示）の駆動力が駆動伝達機構２７を通じて伝達される。駆動伝達機構２７は、軸２８に伝達された回転を無端ベルトにより給送ローラ２５の軸へ伝達する。給送ローラ２５が、給送トレイ２０の支持面上に支持された記録用紙のうち一番上側の記録用紙に当接された状態で回転することにより、当該記録用紙が搬送経路６５へ給送される。記録用紙が搬送経路６５へ給送されるとき、記録用紙の先端が、給送トレイ２０の前後方向８の後側に設けられた後板７６と当接する。その結果、一番上側の記録用紙のみが下側の記録用紙から分離されて搬送される。そして、一番上側の記録用紙よりも下側の記録用紙は、一番上側の記録用紙に引き摺られることなく給送トレイ２０内に収容されたままで保持される。
【００３０】
［搬送経路６５］
図２に示されるように、筐体１４の内部空間に設けられた搬送経路６５は、給送トレイ２０の後側から上方へＵターンするように湾曲して延び、さらにプリンタ部１１の後ろ側から前側へ曲がった後、更に前側へ向かってほぼ真っ直ぐに延びて排出トレイ２１に至っている。搬送経路６５は、Ｕターンする湾曲路６５Ａと、真っ直ぐな直線路６５Ｂとに大別される。湾曲路６５Ａは、記録用紙が通過可能な空間を隔てて対向する外側ガイド部材３０及び内側ガイド部材３１等によって規定されている。直線路６５Ｂは、記録用紙が通過可能な空間を隔てて対向する記録部２４及びプラテン４０等によって規定されている。
【００３１】
給送トレイ２０の給送ローラ２５によって搬送経路６５に沿って給送された記録用紙は、湾曲路６５Ａに沿って下方から上方へ向かって搬送向きが反転され、直線路６５Ｂに沿って搬送向きが反転することなく後方から前方へ向かって搬送される。外側ガイド部材３０は、湾曲路６５Ａに沿って記録用紙が搬送されるとき、外側の案内面を構成する部材である。内側ガイド部材３１は、湾曲路６５Ａに沿って記録用紙が搬送されるとき、内側の案内面を構成する部材である。なお、各案内面は、１つの面で構成されていてもよいし、複数のリブの先端面の群として構成されていてもよい。
【００３２】
［第１搬送ローラ対５４及び第２搬送ローラ対５５］
図２に示されるように、搬送経路６５における記録部２４よりも搬送向き（前後方向８の前向き）の上流側には、第１搬送ローラ対５４が設けられている。第１搬送ローラ対５４は、第１搬送ローラ６０とピンチローラ６１とを有する。搬送経路６５において、記録部２４よりも搬送向きの下流側には、第２搬送ローラ対５５が設けられている。第２搬送ローラ対５５は、第２搬送ローラ６２と拍車ローラ６３とを有する。第１搬送ローラ６０及び第２搬送ローラ６２は、モータ（不図示）の回転が伝達されて回転する。第１搬送ローラ対５４及び第２搬送ローラ対５５は、それぞれを構成する各ローラの間に記録用紙を挟持した状態において、第１搬送ローラ６０及び第２搬送ローラ６２が回転することによって、記録用紙を搬送する。
【００３３】
［記録部２４］
図２に示されるように、第１搬送ローラ対５４と第２搬送ローラ対５５との間に記録部２４が設けられている。記録部２４は、キャリッジ３８と記録ヘッド３９とを備えている。キャリッジ３８は、プラテン４０の後側及び前側に設けられたガイドレール３３、３４によって左右方向９に往復動可能に支持されている。ガイドレール３４には、公知のベルト機構が設けられている。キャリッジ３８は、ベルト機構の無端ベルトと連結されており、無端ベルトの回動によってガイドレール３３、３４に沿って左右方向９に往復動する。キャリッジ３８と記録ヘッド３９とが、プラテン４０と空間を隔てて対向しているとき、キャリッジ３８、記録ヘッド３９、及びプラテン４０は、直線路６５Ｂの一部を規定する。
【００３４】
記録ヘッド３９は、キャリッジ３８に搭載されている。記録ヘッド３９の下面には、複数のノズル（不図示）が形成されている。記録ヘッド３９には、インクカートリッジ（不図示）からインクが供給される。記録ヘッド３９は、複数のノズルからインクを微小なインク滴として選択的に吐出する。キャリッジ３８が左右方向９へ移動しているときに、ノズルからプラテン４０に支持されている記録用紙に対してインク滴が吐出される。吐出されたインク滴がプラテン４０上の記録用紙に付着することにより、記録用紙に画像が記録される。なお、記録部２４が記録用紙に画像を記録する方式は、インクジェット記録方式に限定されず、例えば電子写真方式等であってもよい。
【００３５】
［給送トレイ２０］
給送トレイ２０は、図３に示されるように、第１トレイ７１と、第２トレイ７２と、一対の接続部材７３と、補強部材８０とを有する。給送トレイ２０は、図４〜図７に示されるように、第２トレイ７２が第１トレイ７１に対して前後方向８に移動することによって、様々なサイズの記録用紙を支持することができるように構成されている。また、給送トレイ２０には、図８〜図１０に示されるように、第１トレイ７１に対する第２トレイ７２の移動を規制するロック機構９０が設けられている。
【００３６】
［第１トレイ７１］
第１トレイ７１は、略矩形の底板７４（第１底壁の一例）と、底板７４の左右方向９の両端から上向きに起立された一対の側板７５（第１側壁及び第２側壁の一例）と、底板７４の後端から上向きに起立された後板７６とを備える。第１トレイ７１を構成する底板７４、一対の側板７５、及び後板７６は、例えば、樹脂材料によって一体成型されたものである。図４に示されるように、底板７４には、記録用紙の左右方向９の一方側及び他方側の端部に当接されることにより、当該記録用紙を左右方向９に位置決めするガイド部材４５が設けられている。また、図８に示されるように、底板７４には、記録用紙の前端（給送向き１７の上流側の端部）に当接して、当該記録用紙を前後方向８に位置決めする当接部材４３が前後方向８に沿って複数が並んで設けられている。なお、図３においては、ガイド部材４５が省略されている。
【００３７】
［第２トレイ７２］
第２トレイ７２は、略矩形の底板７７（第２底壁の一例）と、底板７７の左右方向９の両端から上向きに起立された一対の側板７８（第３側壁及び第４側壁の一例）と、底板７７の前端から上向きに起立された前板７９とを備える。一対の側板７８は、その前端部において前板７９に接続されている。一対の側板７８及び前板７９は、その上端において、倒伏位置の排出トレイ２１を支持する。第２トレイ７２を構成する底板７７、一対の側板７８、及び前板７９は、例えば、樹脂材料によって一体成型されたものである。
【００３８】
側板７８において上下方向７の下側、すなわち底板７７側には、前後方向８に延びる長穴７８Ａが形成されている。長穴７８Ａには、接続部材７３の係合爪８７が挿入される。長穴７８Ａと係合爪８７との係合をガイドとして、第２トレイ７２と接続部材７３とが前後方向８に沿って相対移動可能に連結されている。また、長穴７８Ａの前後方向８の両端において係合爪８７の移動が規制され、これにより、第２トレイ７２に対して接続部材７３が前後方向８に移動可能な範囲が規定されている。
【００３９】
前板７９の外面（前後方向８における前方側の面）は、図１に示されるように、複合機１０の外部に露出されている。また、前板７９の外面は、給送トレイ２０が最も収縮された状態において、筐体１４の正面と概ね面一となる。さらに、前板７９の外面には、上下方向７の下部で且つ左右方向９の中央部に、給送トレイ２０を複合機１０から引き抜く際にユーザによって把持される把持部７９Ａが設けられている。
【００４０】
第１トレイ７１の底板７４の上面（第１支持面の一例）と第２トレイ７２の底板７７の上面（第２支持面の一例）とは、相互に連なって記録用紙を支持する支持面を構成する。すなわち、給送トレイ２０は、底板７４、７７の上面において積層状態の記録用紙を支持する。
【００４１】
［接続部材７３］
接続部材７３は、各々が前後方向８に延設され且つ互いに直交する縦板７３Ａ（側壁部の一例）及び横板７３Ｂ（底壁部の一例）によって構成される、所謂アングルである。縦板７３Ａと横板７３Ｂとは、それぞれ次の条件を満たすように配置される。すなわち、縦板７３Ａの内面が第１トレイ７１の側板７５の外面と対面し、縦板７３Ａの外面が第２トレイ７２の側板７８の内面と対面する。また、横板７３Ｂの上面が第１トレイ７１の底板７４の下面と対面し、横板７３Ｂの下面が第２トレイ７２の底板７７の上面と対面する。したがって、給送トレイ２０において、縦板７３Ａは、側板７５と側板７８との間に介在し、横板７３Ｂは、底板７４と底板７７との間に介在する。
【００４２】
縦板７３Ａの上端側には、前後方向８に沿った長穴８６が形成されている。長穴８６には、係合爪８８（図６、図７参照）が挿入される。係合爪８８は、第１トレイ７１の側板７５に形成された被係合部７５Ａに係合されることによって、側板７５に固定される。長穴８６と側板７５に固定された係合爪８８との係合をガイドとして、第１トレイ７１と接続部材７３とが前後方向８に沿って相対移動可能に連結されている。また、長穴８６の前後方向８の両端において係合爪８８の移動が規制され、これにより、第１トレイ７１に対して接続部材７３が前後方向８に移動可能な範囲が規定されている。
【００４３】
図１１に示されるように、接続部材７３の横板７３Ｂの前後方向８の後端（第３端の一例）には、傾斜面６９が形成されている。この傾斜面６９は１つの平面ではなく、横板７３Ｂの下面（底面）側から下方へ突出した複数のリブの先端面と共に構成されている。前述されたように、横板７３Ｂの下面とは、第２トレイ７２の底板７７の上面と対面する面である。また、傾斜面６９は、後端６７と前端６８とを有する。後端６７は、前端６８よりも前後方向８の後ろ側に位置すると共に上下方向７の上側に位置している。
【００４４】
給送トレイ２０は、図４及び図５に示されるように、第１トレイ７１の上面と第２トレイ７２の上面との重畳面積が最も大きくなる状態において、底板７４の上面でＡ４サイズの記録用紙を支持することができる。図４及び図５に示される給送トレイ２０は、長手方向が左右方向９を向いたＡ４サイズの記録用紙を支持することができる。図４及び図５に示される第１トレイ７１に対する第２トレイ７１の位置は、第１位置の一例である。また、Ａ４サイズの短手方向の長さは第１長さの一例である。なお、本実施形態では、第２トレイ７２が第１位置に位置する状態において底板７４の上面のみで記録用紙が支持されるが、これに限定されず、底板７４の上面と底板７７の上面とで記録用紙が支持されてもよい。
【００４５】
第１トレイ７１及び第２トレイ７２の相対位置が第１位置であるときに、接続部材７３は、係合爪８７が第２トレイ７２の側板７８の長穴７８Ａの前端に当接して、第２トレイ７２と最も重畳する位置にある。第２トレイ７２の底板７７の後端（第２端の一例）は、第１トレイ７１の底板７４の後端（第１端の一例）より後ろ向きへ若干突出している。また、接続部材７３の横板７３Ｂの後端（第３端の一例）及び傾斜面６９は、第１トレイ７１の底板７４の後端より後ろ向きへ突出していない。
【００４６】
これにより、第１トレイ７１及び第２トレイ７２の相対位置が第１位置の状態で、給送トレイ２０が筐体１４の開口１３に挿入されるときに、筐体１４の開口１３の下側を規定する部材に対して、第２トレイ７２の底板７７の底面を摺動させて後ろ向きへ挿入されることになるので、第１トレイ７１の底板７４と第２トレイ７２の底板７７との間に当該部材が進入し難い。これにより、給送トレイ２０が筐体１４の開口１３へ挿入しやすくなる。
【００４７】
また、給送トレイ２０は、図６に示されるように、第１トレイ７１に対して第２トレイ７２が前方に引き出された状態において、底板７４、７７の上面でＢ４サイズの記録用紙を支持することができる。図６に示される給送トレイ２０は、長手方向が前後方向８を向いたＢ４サイズの記録用紙を支持することができる。図６における第１トレイ７１の上面と第２トレイ７２の上面との重畳面積は、図４及び図５における第１トレイ７１の上面と第２トレイ７２の上面との重畳面積より小さい。図６に示される第１トレイ７１に対する第２トレイ７２の位置は、第３位置の一例である。また、Ｂ４サイズの長手方向の長さは、第３長さの一例である。
【００４８】
第１トレイ７１及び第２トレイ７２の相対位置が、図６に示される第３位置であるときに、接続部材７３は、係合爪８７が第２トレイ７２の側板７８の長穴７８Ａの後端に当接して、第２トレイ７２から最も後ろ向きへ突出した位置にある。この位置において、接続部材７３の横板７３Ｂの後端（第３端）及び傾斜面６９は、第１トレイ７１の底板７４の後端より後ろ向きへ突出せず、且つ第２トレイ７２の底板７７の後端より後ろ向きへ突出している。
【００４９】
また、第１トレイ７１及び第２トレイ７２の相対位置が、図６に示される第３位置であるときに、接続部材７３は、係合爪８７が第２トレイ７２の側板７８の長穴７８Ａの後端から離れて、係合爪８８が長穴８６の後端に当接するまで（図７参照）前向きへ移動可能である。この位置において、接続部材７３は、図４及び図５に示される状態、すなわち第１トレイ７１の上面と第２トレイ７２の上面との重畳面積が最も大きくなる状態に次いで第２トレイ７２と多く重畳する。この位置においても、接続部材７３の横板７３Ｂの後端（第３端）及び傾斜面６９は、第１トレイ７１の底板７４の後端より後ろ向きへ突出せず、且つ第２トレイ７２の底板７７の後端より後ろ向きへ突出している。
【００５０】
これにより、第１トレイ７１及び第２トレイ７２の相対位置が、図６に示される第３位置の状態で、給送トレイ２０が筐体１４の開口１３に挿入されるときに、筐体１４の開口１３の下側を規定する部材に対して、第１トレイ７１の底板７４の底面、接続部材７３の傾斜面６９、第２トレイ７２の底板７７の底面が順次摺動されて後ろ向きへ挿入されることになるので、第１トレイ７１の底板７４と第２トレイ７２の底板７７との間に当該部材が進入することはない。これにより、給送トレイ２０が筐体１４の開口１３へ挿入しやすくなる。
【００５１】
さらに、給送トレイ２０は、図７に示されるように、第１トレイ７１に対して第２トレイ７２が前方にさらに引き出された状態において、底板７４、７７の上面でＡ３サイズの記録用紙を支持することができる。図７に示される給送トレイ２０は、長手方向が前後方向８を向いたＡ３サイズの記録用紙を支持することができる。図７における第１トレイ７１の上面と第２トレイ７２の上面との重畳面積は、図６における第１トレイ７１の上面と第２トレイ７２の上面との重畳面積よりさらに小さい。図７に示される第１トレイ７１に対する第２トレイ７２の位置は、第２位置の一例である。また、Ａ３サイズの長手方向の長さは、第２長さの一例である。
【００５２】
第１トレイ７１及び第２トレイ７２の相対位置が第２位置であるときに、接続部材７３は、係合爪８７が第２トレイ７２の側板７８の長穴７８Ａの後端に当接して、第２トレイ７２から最も後ろ向きへ突出した位置にある。また、接続部材７３は、その長穴８６の後端に第１トレイ７１の係合爪８８が当接して、第１トレイ７１から最も前向きに突出した位置にある。この位置において、接続部材７３の横板７３Ｂの後端（第３端）及び傾斜面６９は、第１トレイ７１の底板７４の後端より後ろ向きへ突出せず、且つ第２トレイ７２の底板７７の後端より後ろ向きへ突出している。
【００５３】
また、第１トレイ７１及び第２トレイ７２の相対位置が第２位置であるときに、接続部材７３は、係合爪８７が第２トレイ７２の側板７８の長穴７８Ａの後端に当接しているので、第２トレイ７２に対して後ろ向きへ移動することはない。
【００５４】
これにより、第１トレイ７１及び第２トレイ７２の相対位置が第２位置の状態で、給送トレイ２０が筐体１４の開口１３に挿入されるときに、筐体１４の開口１３の下側を規定する部材に対して、第１トレイ７１の底板７４の底面、接続部材７３の傾斜面６９、第２トレイ７２の底板７７の底面が順次摺動されて後ろ向きへ挿入されることになるので、第１トレイ７１の底板７４と第２トレイ７２の底板７７との間に当該部材が進入することはない。これにより、給送トレイ２０が筐体１４の開口１３へ挿入しやすくなる。
【００５５】
［補強部材８０］
補強部材８０は、図３に示されるように、第１補強部８１と、第２補強部８２と、連結部８３とで構成されている。補強部材８０は、底板７７、一対の側板７８、及び前板７９で構成された第２トレイ７２の剛性を確保するものである。補強部材８０は、底板７７の上面と、一対の側板７８及び前板７９の内面とに対面する位置に配置される。すなわち、補強部材８０は、上下方向７において、底板７７の上面に支持された記録用紙と重畳する位置に配置される。また、補強部材８０は、倒伏位置の排出トレイ２１と上下方向７において重畳する位置に設けられている。
【００５６】
［ロック機構９０］
ロック機構９０は、第１トレイ７１に対する第２トレイ７２の移動を規制し、或いは規制を解除する。ロック機構９０は、図８〜図１０に示されるように、係合部材９１と、操作部材９２と、リンク部材９３と、付勢部材９４とを有する。本実施形態において、係合部材９１、操作部材９２、リンク部材９３、及び付勢部材９４は、第１トレイ７１に支持されている。
【００５７】
係合部材９１は、第２トレイ７２が第１トレイ７１に対して最も引き出された状態（すなわち、図７に示される状態）において、第１トレイ７１及び第２トレイ７２が重畳する位置に設けられている。すなわち、係合部材９１が設けられた位置は、第１トレイ７１と第２トレイ７２とが常に重なり合う位置である。また、係合部材９１は、倒伏位置の排出トレイ２１によって覆われる位置に配置されている。さらに、係合部材９１は、左右方向９における給送トレイ２０の概ね中央に設けられている。
【００５８】
係合部材９１は、給送トレイ２０に対して左右方向９に移動可能である。係合部材９１は、図９及び図１０に示されるように、本体９５と、本体９５の裏面に突設された係合部９６とで構成される。本体９５は、常に第１トレイ７１に係合（支持）されている。係合部９６は、第１トレイ７１の底板７４に設けられた開口７４Ａを通じて底板７４の下面から突出され、第２トレイ７２に接触し得る位置まで延設されている。
【００５９】
係合部９６は、図８及び図９に示される位置に本体９５が位置している状態において、図９（Ｂ）に示されるように、第２トレイ７２の底板７７に設けられた被係合部７７Ａに係合される。すなわち、図８及び図９に示される係合部材９１は、第１トレイ７１及び第２トレイ７２の両方に係合されている。これにより、第１トレイ７１に対する第２トレイ７２の移動が規制される。
【００６０】
係合部９６は、図１０に示される位置に本体９５が位置している状態において、図１０（Ｂ）に示されるように、被係合部７７Ａとの係合が解除される。すなわち、図１０に示される係合部材９１は、第１トレイ７１に係合され且つ第２トレイ７２に係合されていない。これにより、第１トレイ７１に対する第２トレイ７２の移動が許容（すなわち、規制が解除）される。
【００６１】
被係合部７７Ａは、図８において破線枠で示されるように、前後方向８に離間した複数の位置において、左右方向９に離間した２カ所ずつ設けられている。具体的には、被係合部７７Ａは、第１トレイ７１に対して第２トレイ７２が最も押し込まれた状態（図４及び図５に示される第１位置）において係合部９６と係合可能な位置（前方側の破線枠の位置）と、第１トレイ７１から第２トレイ７２が途中まで引き出された状態（図６に示される第３位置）において係合部９６と係合可能な位置（中央の破線枠の位置）と、第１トレイ７１から第２トレイ７２が最大限引き出された状態（図７に示される第２位置）において係合部９６と係合可能な位置（後方側の破線枠の位置）とに設けられている。
【００６２】
被係合部７７Ａの具体的な構成は特に限定されないが、例えば、被係合部７７Ａは、前後方向８において対面する一対の壁面を有していてもよい。そして、当該一対の壁面の間に係合部９６が進入することによって、係合部９６と被係合部７７Ａとが係合される。一方、当該一対の壁面の間から係合部９６が後退することによって、係合部９６と被係合部７７Ａとの係合が解除される。
【００６３】
操作部材９２は、図８に示されるように、排出トレイ２１の回動軸線に重畳する位置（排出トレイ２１の回動軸線の直下方）に設けられている。また、操作部材９２は、左右方向９における給送トレイ２０の中央から一方側（図８の例では、左側）にずれた位置に設けられている。操作部材９２は、左右方向９において、当接部材４３と隣接する位置に設けられている。さらに、操作部材９２は、係合部材９１から前後方向８（図８の例では、後方側）に離間した位置に設けられている。操作部材９２は、第１トレイ７１の底板７４に設けられた開口７４Ｂを通じて底板７４の上面側及び下面側の両方に露出されている。
【００６４】
操作部材９２は、給送トレイ２０に対して左右方向９に移動可能である。操作部材９２は、ロック位置へ向けて付勢部材９４に付勢されている。付勢部材９４の具体例は特に限定されないが、例えば、コイルバネである。
【００６５】
リンク部材９３は、前後方向８における係合部材９１及び操作部材９２の間において、第１トレイ７１の底板７４の下面に回動可能に支持されている。リンク部材９３は、長尺の板状部材であって、その一端が係合部材９１に接続され、他端が操作部材９２に接続されている。ロック位置及びロック解除位置の一方から他方への操作部材９２の移動によって、リンク部材９３は、係合位置及び係合解除位置の一方から他方へ係合部材９１を移動させる向きに回動する。係合部材９１は、リンク部材９３によって操作部材９２の移動向きと逆向きに移動する。
【００６６】
より詳細には、ロック位置からロック解除位置への操作部材９２の移動によって、リンク部材９３は第１向き（図９及び図１０の例では、反時計回り）に回動し、係合部材９１を係合位置から係合解除位置へ移動させる。その結果、操作部材９２がロック解除位置に位置するときに、係合部材９１は係合解除位置に位置する。すなわち、付勢部材９４の付勢力に抗して操作部材９２が右方に移動されることにより、第１トレイ７１に対する第２トレイ７２の移動が許容される。
【００６７】
ロック解除位置からロック位置への操作部材９２の移動によって、リンク部材９３は第１向きと反対の第２向き（図９及び図１０の例では、時計回り）に回動し、係合部材９１を係合解除位置から係合位置へ移動させる。その結果、操作部材９２がロック位置に位置するときに、係合部材９１は係合位置に位置する。すなわち、操作部材９２を右方に移動させる力がなくなると、付勢部材９４によって操作部材９２が左方に移動されることにより、第１トレイ７１に対する第２トレイ７２の移動が規制される。
【００６８】
［排出トレイ２１］
排出トレイ２１は、図７に示されるように、本体トレイ１００と、第１中間トレイ１１０と、第２中間トレイ１３０と、第３中間トレイ１５０と、回動トレイ１６０とを有する。本体トレイ１００、第１中間トレイ１１０、第２中間トレイ１３０、第３中間トレイ１５０、及び回動トレイ１６０は、それぞれの上面において、排出ローラ対６６によって排出された記録用紙を支持する。
【００６９】
本体トレイ１００は、給送トレイ２０（より詳細には、第１トレイ７１の一対の側板７５）に回動可能に支持されている。第１中間トレイ１１０は、本体トレイ１００の下面側において、本体トレイ１００に対して前後方向８に移動可能に支持されている。第２中間トレイ１３０は、第１中間トレイ１１０の下面側において、第１中間トレイ１１０に対して前後方向８に移動可能に支持されている。第３中間トレイ１５０は、第２中間トレイ１３０の下面側において、第２中間トレイ１３０に対して前後方向８に移動可能に支持されている。回動トレイ１６０は、第３中間トレイ１５０に回動可能に支持されている。
【００７０】
［回動トレイ１６０］
回動トレイ１６０は、図７に示されるように、前後方向８の外形寸法より左右方向９の外形寸法が長い矩形の平板形状である。回動トレイ１６０の左右方向９の外形寸法は、第３中間トレイ１５０の左右方向９の外形寸法よりも短く、第３中間トレイ１５０の凹部１５１の左右方向９の外形寸法より若干短い。回動トレイ１６０の左右方向９の両側には、左右方向９の外方へ突出する一対の支軸１６１が設けられている。一対の支軸１６１が第３中間トレイ１５０の一対の軸受部（各図には現れていない。）にそれぞれ支持されることにより、回動トレイ１６０が第３中間トレイ１５０に対して回動可能となる。
【００７１】
回動トレイ１６０は、第３中間トレイ１５０の上面に重畳する重畳位置と、第３中間トレイ１５０から排出向き１８へ突出する突出位置（図７参照）との間を回動する。突出位置の回動トレイ１６０は、図５〜図７に示されるように、第３中間トレイ１５０の前方で且つ上方へ突出している。
【００７２】
図５〜図７に示されるように、回動トレイ１６０の左右方向９の両端には、上下方向７の上向きへ起立するリブ１６２がそれぞれ形成されている。突出位置において、リブ１６２の前後方向８の後ろ側の上端は平面１６３であり、前側の上端には、前後方向８に凹凸が連続する波形状の凹凸部１６４が形成されている。
【００７３】
第２トレイ７２が第１位置に位置し、回動トレイ１６０が突出位置に位置する時の排出トレイ２１は、図５に示される状態となる。排出トレイ２１は、図５に示される状態において、Ａ４サイズの記録用紙を支持することができる。より詳細には、図５に示される排出トレイ２１は、長手方向が左右方向９を向いたＡ４サイズの記録用紙を保持したまま支持することができる。
【００７４】
第２トレイ７２が第１位置に位置し且つ回動トレイ１６０が突出位置に位置しているとき、排出トレイ２１に支持されたＡ４サイズの記録用紙の先端（前後方向８の前端）は、回動トレイ１６０の凹凸部１６４へ至らない。しかし、搬送経路６５から排出トレイ２１へ排出されるときの勢い（排出速度）が強いと、記録用紙の先端が排出トレイ２１に落下せずに、回動トレイ１６０に至ることがある。このとき、記録用紙の先端は、回動トレイ１６０の凹凸部１６４に衝突することにより、排出の勢いが止められて、凹凸部１６４より前方へ記録用紙が進まない。
【００７５】
第２トレイ７２が第３位置に位置し、回動トレイ１６０が突出位置に位置する時の排出トレイ２１は、図６に示される状態となる。排出トレイ２１は、図６に示される状態において、Ｂ４サイズの記録用紙を支持することができる。より詳細には、図６に示される排出トレイ２１は、長手方向が前後方向８を向いたＢ４サイズの記録用紙を支持することができる。
【００７６】
第２トレイ７２が第３位置に位置し回動トレイ１６０が突出位置に位置しているとき、排出トレイ２１に支持されたＢ４サイズの記録用紙の先端（前後方向８の前端）は、回動トレイ１６０の凹凸部１６４へ到達する。しかし、記録用紙の先端は、回動トレイ１６０の凹凸部１６４に衝突することにより、排出の勢いが止められて、凹凸部１６４より前方へ記録用紙が進まない。
【００７７】
第２トレイ７２が第２位置に位置し、回動トレイ１６０が突出位置に位置する時の排出トレイ２１は、図７に示される状態となる。排出トレイ２１は、図７に示される状態において、Ａ３サイズの記録用紙を支持することができる。より詳細には、図７に示される排出トレイ２１は、長手方向が前後方向８を向いたＡ３サイズの記録用紙を支持することができる。
【００７８】
第２トレイ７２が第２位置に位置し回動トレイ１６０が突出位置に位置しているとき、排出ローラ対６６に搬送されて排出トレイ２１上を前方へ進むＡ３サイズの記録用紙の先端（前後方向８の前端）は、排出ローラ対６６に搬送されている途中において凹凸部１６４へ到達する。このとき、記録用紙の先端は、排出ローラ対６６により更に搬送されることにより回動トレイ１６０に沿って前後方向８の前向きへ進行して、凹凸部１６４を乗り越える。そして、記録用紙の先端が回動トレイ１６０より前方へ突出した状態で排出ローラ対６６による搬送が終了し、排出トレイ２１上に記録用紙が支持される。
【００７９】
［本実施形態の作用効果］
本実施形態によれば、給送トレイ２０を所望のサイズの記録用紙を支持するのに適した長さに簡単に伸縮させることができる。また、筐体１４の開口１３への挿入が容易な給送トレイ２０が実現される。詳細には、第１トレイ７１及び第２トレイ７２の相対位置が第３位置であるときには、接続部材７３の横板７３Ｂの後端が第２トレイ７２の底板７７の後端より後ろ向きへ突出しているので、第１トレイ７１の底板７４の後端と第２トレイ７２の底板７７の後端との間に接続部材７３の横板７３Ｂの厚み分の隙間が生じない。また、第１トレイ７１及び第２トレイ７２の相対位置が第１位置であるときには、最も底側の第２トレイ７２の底板７７の後端が最も後ろ向きへ突出しているので、第１トレイ７１の底板７４の後端と第２トレイ７２の底板７７の後端との間に、筐体１４の開口１３を規定する部材が進入し難い。
【００８０】
また、第２トレイ７２の側板７８に形成された長穴７８Ａに、接続部材７３の係合爪が係合しているので、第２トレイ７２と接続部材７３とが強固に連結され、第２トレイ７２と接続部材７３との位置関係に捻れが生じ難い。その結果、第２トレイ７２と接続部材７３との間に隙間が生じ難い。
【００８１】
また、接続部材７３の横板７３Ｂの後端に形成された傾斜面６９により、筐体１４の開口１３に給送トレイ２０が挿入されるときに、開口１３を規定する部材が第１トレイ７１の底板７４の底面から第２トレイ７２の底板７７の底面側へ案内される。
【符号の説明】
【００８２】
１２  プリンタ部（シート搬送装置）
１４  筐体（本体）
２０  給送トレイ（シートトレイ）
６９  傾斜面
７１  第１トレイ
７２  第２トレイ
７３  接続部材
７３Ａ  縦板（側壁部）
７３Ｂ  横板（底壁部）
７４  底板（第１底壁）
７５  側板（第１側壁及び第２側壁）
７７  底板（第２底壁）
７８  側板（第３側壁及び第４側壁）
７８Ａ  長穴
８７  係合爪
【図１】
2015193450.tif 000003
【図２】
2015193450.tif 000004
【図３】
2015193450.tif 000005
【図４】
2015193450.tif 000006
【図５】
2015193450.tif 000007
【図６】
2015193450.tif 000008
【図７】
2015193450.tif 000009
【図８】
2015193450.tif 000010
【図９】
2015193450.tif 000011
【図１０】
2015193450.tif 000012
【図１１】
2015193450.tif 000013